(57)【要約】【課題】  確実に、かつ、簡単な構造でもって、バスバーの電気接続部の曲がりを自動的に修正して、その電気接続部と外部（例えば雌−雌端子）とが正常に接続できるバスバー取付け構造を提供すること。【解決手段】  下ケース１にガイド壁１３と雌−雌端子４を収納する凹部１２を形成し、中間プレート３にガイド壁１３に当接した電気接続部２２等を挿通させる挿通孔３１と、その挿通孔３１の下側の縁部に電気接続部２２に当接して挿通孔３１へ電気接続部２２をガイドさせるガイド部３２を突設する。そして、上ケース５と下ケース１との間に中間プレート３を挟み込ませることで、ガイド部３２が電気接続部２２の曲がりを自動的に修正する。【選択図】        図１
2006311755.tif 000002
【特許請求の範囲】
【請求項１】
所望形状に形設された配線部と、立ち曲げられて外部と接続される電気接続部とを備えた帯板状のバスバーと、
前記バスバーが配線される第１プレートと、
前記バスバーが配線された前記第１プレートに被装され前記電気接続部が挿通される挿通孔が設けられた第２プレートと
を備えてなり、
前記バスバー側の前記第２プレート面に、前記電気接続部に当接して前記挿通孔へ前記電気接続部をガイドさせるガイド部が突設されていることを特徴とするバスバー取付け構造。
【請求項２】
前記第１プレートは、下ケースであると共に、前記第２プレートは、前記下ケースと着脱可能に嵌合される上ケースと前記下ケースとの間に配設された中間プレートであることを特徴とする請求項１記載のバスバー取付け構造。
【請求項３】
平面視略矩形状の枠体とその枠体内から突設され上下方向に弾性片が巻回されてなり、前記電気接続部や配電部品等の接続端子を前記枠体と弾性片とで挟持させる雌−雌端子を収納させる凹部が前記下ケースに設けられると共に、前記挿通孔が前記凹部内の下部に設けられ、
前記中間プレートを前記下ケースに被装させて前記電気接続部を前記ガイド部でガイドさせた後、前記雌−雌端子を前記凹部内に収納させて、前記上ケースを前記下ケースに嵌合させてなることを特徴とする請求項２記載のバスバー取付け構造。
【請求項４】
前記ガイド部は、先部に向かって漸次幅狭となる傾斜面が前記挿通孔側に形成されてなることを特徴とする請求項１〜３の何れか１記載のバスバー取付け構造。
【発明の詳細な説明】
【技術分野】
【０００１】
本発明は、例えば雌−雌端子等の外部と接続される電気接続部とを備えた帯板状のバスバーと雌−雌端子等の外部との取付け構造の改良に関する。
【背景技術】
【０００２】
限られたスペース内で高電圧を取り扱う電気接続機器は、その内部での電気配線の取り回しを帯板状のバスバーを這わせて行う場合が多く、その一例として、自動車部品として用いられる電気接続箱がある。
【０００３】
この電気接続箱は、例えば、電気自動車に用いる場合、バッテリと、イグニッションスイッチと、インバーター等（いずれも図示せず）とを、この電気接続箱を経由するように設け、イグニッションスイッチからの出力信号に基づいて電磁リレーを作動させ、電圧センサーがバッテリの状態を検出しながら、インバーターに主電力を送電させるものである（例えば特許文献１参照）。
【０００４】
このような電気接続箱の構成の一例を説明すると、例えば、図６に示すように、ヒューズや電磁リレー、電圧センサー等の配電部品が収納された配電部品収納部（図示せず）と雌−雌端子ｚ３が収納される凹部ｚ２が設けられた下ケースｚ１と、その下ケースｚ１に配線されると共に前記した凹部ｚ２内に電気接続部ｚ５が立設されたバスバーｚ４と、凹部ｚ２内に挿嵌されて電気接続部ｚ５と電気的に接続される雌−雌端子ｚ３と、その下ケースｚ１と着脱可能に嵌合された上ケースｚ６とを備えて構成されており、上記したように、例えば、イグニッションスイッチによるON・OFF動作によって、インバーター等に主電力を送電させたりしている。
【０００５】
また、さらに詳述すると、バスバーは、導電性を有する金属板、例えば銅板など所望の配線パターンとなるようにプレス装置等で帯状に打ち抜きされ、必要に応じて所望する部位を、雌−雌端子との電気接続部として折り曲げ形成されている。一方、雌−雌端子は、平面視略矩形状の枠体とその枠体内から突設され上下方向に弾性片が巻回されて構成され、枠体と弾性片との間に電気接続部を挿嵌させて電気的接続がされるようになっている。
【特許文献１】特開２００４−２８２９０８号公報（第１頁、図１）
【発明の開示】
【発明が解決しようとする課題】
【０００６】
ところで、上記したバスバーの電気接続部は、プレスなどで折り曲げ形成をしているが、その加工上、折り曲げ角度より若干戻ってしまう場合（弾性変形）があり、凹部内に立設された電気接続部に雌−雌端子を挿嵌させる際に、電気接続部と雌−雌端子とが干渉してしまい正常に挿嵌できない場合があった。そのため、いちいち作業員の手によって電気接続部の曲がりを修正していたが、下ケースには数多くのバスバーが這わせてあり、極めて面倒な作業となっていた。
【０００７】
仮に、電気接続部の折り曲げ加工の精度を高めたとしても、下ケースへのバスバーの取付状態や、バスバー自体の素材など、さまざまな要因で、電気接続部が傾斜して雌−雌端子と干渉してしまう場合があり、根本的な解決策にはならない。
【０００８】
そこで、本発明は、確実に、かつ、簡単な構造でもって、バスバーの電気接続部の曲がりを自動的に修正して、その電気接続部と外部（例えば雌−雌端子）とが正常に接続できるバスバー取付け構造を提供することを目的とする。
【課題を解決するための手段】
【０００９】
上記技術課題を達成するために本発明にかかるバスバー取付け構造は、下記の技術的手段を講じた。
すなわち、請求項１にかかるバスバー取付け構造は、所望形状に形設された配線部と、立ち曲げられて外部と接続される電気接続部とを備えた帯板状のバスバーと、前記バスバーが配線される第１プレートと、前記バスバーが配線された前記第１プレートに被装され前記電気接続部が挿通される挿通孔が設けられた第２プレートとを備えてなり、前記バスバー側の前記第２プレート面に、前記電気接続部に当接して前記挿通孔へ前記電気接続部をガイドさせるガイド部が突設されていることを特徴とする。
請求項２にかかるバスバー取付け構造は、請求項１において、前記第１プレートは、下ケースであると共に、前記第２プレートは、前記下ケースと着脱可能に嵌合される上ケースと前記下ケースとの間に配設された中間プレートであることを特徴とする。
請求項３にかかるバスバー取付け構造は、請求項２において、平面視略矩形状の枠体とその枠体内から突設され上下方向に弾性片が巻回されてなり、前記電気接続部や配電部品等の接続端子を前記枠体と弾性片とで挟持させる雌−雌端子を収納させる凹部が前記下ケースに設けられると共に、前記挿通孔が前記凹部内の下部に設けられ、前記中間プレートを前記下ケースに被装させて前記電気接続部を前記ガイド部でガイドさせた後、前記雌−雌端子を前記凹部内に収納させて、前記上ケースを前記下ケースに嵌合させてなることを特徴とする。
請求項４にかかるバスバー取付け構造は、請求項１〜３の何れかにおいて、前記ガイド部は、先部に向かって漸次幅狭となる傾斜面が前記挿通孔側に形成されてなることを特徴とする。
【発明の効果】
【００１０】
バスバー側の第２プレート面に、外部と接続される電気接続部に当接して挿通孔へ電気接続部を導くガイド部を突設したことで、挿通孔と電気接続部との位置がずれていても、電気接続部がガイド部に当接しガイドされて、挿通孔へ電気接続部が確実に挿入することができる。したがって、プレート面に形成された凹部内に収納された雌−雌端子と確実に電気的接続が行えるバスバー取付け構造が提供できる。
【００１１】
また、第２プレートを、下ケースと着脱可能に嵌合される上ケースと下ケースとの間に配設された中間プレートとし、これら上ケースと下ケースとの間に中間プレートを挟み込ませるだけで、中間プレートが電気接続部の曲がりを修正するから、例えば、電気接続部が立設された凹部内に雌−雌端子が簡単にかつ確実に挿嵌することができ、極めて作業性が向上したバスバー取付け構造が提供できる。
【発明を実施するための最良の形態】
【００１２】
次に、本発明にかかるバスバー取付け構造の実施の形態を添付図面に基づいて説明する。本発明にかかるバスバー取付け構造の実施の形態は、自動車部品として用いられる電気接続箱に適用したものである。なお、この電気接続箱は、バッテリと、イグニッションスイッチと、インバーター等とを、この電気接続箱を経由するように設け、イグニッションスイッチからの出力信号に基づいて電磁リレーを作動させ、電圧センサーがバッテリの状態を検出しながら、インバーターに主電力を送電させるもので、電気接続箱としての機能は周知のものである。図中、符号１は下ケースを、符号２はバスバーを、符号３は中間プレートを、符号４は雌−雌端子を、符号５は上ケースを、夫々示す。
【００１３】
まず、本実施の形態にかかるバスバー取付け構造を適用した電気接続箱Ａは、図１〜図３に示すように、下ケース１と、配電部品と、バスバー２と、中間プレート３と、雌−雌端子４と、上ケース５とを備えて構成されている。
【００１４】
下ケース１は、後述するバスバー２を所定位置に載置させるバスバー載置面１１と、配電部品収納部（図示せず）と、平面視略コ字状の凹部１２が上面に形成されている。この凹部１２は、図１に示すように、バスバー載置面１１の端部から上方へ向かって形成されたガイド壁１３の頂部に設けれられている。なお、このガイド壁１３は、図示したように、後述するバスバー２の電気接続部２２の基部を当接させて上方へ案内するものである。
【００１５】
配電部品（図示せず）は、ヒューズや電磁リレー、電圧センサー等からなり、配電部品収納部（図示せず）に収納されている。
【００１６】
バスバー２は、所望形状に形設された配線部２１と、上方に立ち曲げられて外部と接続される電気接続部２２とを備え、導電性を有する金属板、例えば銅板など所望の配線パターンとなるようにプレス装置等で帯状に打ち抜きされると共に、必要に応じて所望する部位を、雌−雌端子４との電気接続部２２として折り曲げ形成されている。このように構成されたバスバー２は、下ケース１に形成されたバスバー載置面１１に載置されている。
【００１７】
中間プレート３は、下ケース１に形成された凹凸と干渉しないように所要位置に挿通孔３１が設けられた薄板状のプレートであり、特に凹部１２及びガイド壁を挿通させる挿通孔３１の下側の縁部には、電気接続部２２に当接して挿通孔３１へ電気接続部２２をガイドさせるガイド部３２が突設されている。
【００１８】
このガイド部３２は底面視略矩形状、かつ、先部に向かって漸次幅狭となる傾斜面３２ａが挿通孔３１側に形成されており、中間プレート３を下ケース１方向に押し込むことで、ガイド部３２の底面でバスバー２の配線部２１を押さえ込むと同時に、バスバー２の電気接続部２２を垂直に修正して、挿通孔３１から電気接続部２２を立設するようになっている。
【００１９】
雌−雌端子４は、平面視略矩形状の導電性を有する枠体４１とその枠体４１内から突設され、その枠体４１内に略収まるように上下方向に導電性を有する弾性片４２が略U字状に巻回されて構成されており、上記した中間プレート３が介装された凹部１２や配電部品収納部に着脱可能に嵌合されている。そして、バスバー２の電気接続部２２や配電部品等の接続端子を枠体４１と弾性片４２との間（下側）に挿嵌させると共に、外部の電子機器等から延設されたバスバー２の電気接続部２２や外部の電子機器等の接続端子を枠体４１と弾性片４２との間（上側）に挿嵌させることで、この両者が電気的に接続されるようになっている。
【００２０】
上ケース５は、その底面に凹部１２や配電部品収納部と重合する保持部５１が凹設されると共に、雌−雌端子４の上側の差込み部分に挿通される連通孔５２が設けられ、下ケース１と着脱可能に嵌合されるようになっている。
【００２１】
次に、以上のように構成されたバスバー取付け構造を適用した電気接続箱Ａの組み立て工程を、順を追って説明する。
まず、バスバー２の電気接続部２２の基部をガイド壁１３に押し当てながら、下ケース１のバスバー載置面１１にバスバー２を載置する。
【００２２】
次いで、中間プレート３を下ケース１方向に押し込むことにより、ガイド部３２の底面でバスバー２の配線部２１を押さえ込むと同時に、挿通孔３１から電気接続部２２立設する。このとき、図４中、二点鎖線で示したように、仮に電気接続部２２が反り返っていても、傾斜面３２ａに電気接続部２２が当接し、ガイドすることで、電気接続部２２は垂直に修正し、挿通孔３１から立設する（図４参照）。そして、中間プレート３が介装された凹部１２に対して雌−雌端子４を挿嵌すると共に、配電部品収納部に配電部品を収納する。次いで、上ケース５を下ケース１に嵌合することで、一連の作業が終了する。
【００２３】
このように本実施の形態にかかるバスバー取付け構造が適用された電気接続箱Ａは、上ケース５と下ケース１との間に中間プレート３を挟み込ませるだけで、中間プレート３が電気接続部２２の曲がりを修正するようになっている。したがって、電気接続部２２が立設された凹部１２内に雌−雌端子４が簡単にかつ確実に挿嵌することができ、極めて作業性が向上したバスバー取付け構造となっている。
【００２４】
以上、本実施の形態にかかるバスバー取付け構造が適用された電気接続箱Ａを説明したが、上述した実施の形態は、本発明の好適な実施の形態の一例を示すものであり、本発明はそれに限定されるものではなく、その要旨を逸脱しない範囲内において、種々変形実施が可能である。
【図面の簡単な説明】
【００２５】
【図１】本実施の形態にかかるバスバー取付け構造が適用された電気接続箱の要部の縦断面図である。
【図２】図１におけるＸ−Ｘ断面図である。
【図３】要部の分解断面図である。
【図４】下ケースに中間プレートを挿嵌させる状態を表した分解断面図である。
【図５】電気接続箱の外観を示す斜視図である。
【図６】従来のバスバー取付け構造が適用された分解断面図である。
【符号の説明】
【００２６】
１  下ケース
１１  バスバー載置面
１２  凹部
１３  ガイド壁
２  バスバー
２１  配線部
２２  電気接続部
３  中間プレート
３１  挿通孔
３２  ガイド部
３２ａ  傾斜面
４  雌−雌端子
４１  枠体
４２  弾性片
５  上ケース
５１  保持部
５２  連通孔
Ａ  電気接続箱
【図１】
2006311755.tif 000003
【図２】
2006311755.tif 000004
【図３】
2006311755.tif 000005
【図４】
2006311755.tif 000006
【図５】
2006311755.tif 000007
【図６】
2006311755.tif 000008